(57)【特許請求の範囲】
【請求項１】
自動車（１）のブレーキシステム（３）を運転するための方法であって、液圧式に制御可能な少なくとも１つのホイールブレーキ装置（９）と、前記自動車（１）の少なくとも１つのホイール（６）に作用接続された／作用接続可能な、発電機式に運転可能な電気機械（４）と、戻し力（ＦＲ）に抗して移動可能なブレーキペダル（１１）とを有しており、この場合、前記ブレーキペダル（１１）の位置（ｘ）に依存して目標ブレーキトルクが設定され、前記ブレーキペダルの位置（ｘ）に依存して摩擦ブレーキトルクを発生させるためにホイールブレーキ装置（９）が制御され、かつ／または回生ブレーキトルクを発生させるために前記電気機械（４）が制御され、それによって前記ホイールブレーキ装置（９）および前記電気機械（４）が共に前記目標ブレーキトルクを発生させる方法において、
前記目標ブレーキトルクにおける前記摩擦ブレーキトルクの割合に依存して、前記戻し力（ＦＲ）を変えることが可能であり、
少なくとも、前記ブレーキペダルの位置（ｘ）の増加に伴って前記戻し力（ＦＲ）が増加する勾配が、前記ブレーキペダルの位置（ｘ）の所定範囲（ｘ１−ｘ２）において、当該所定範囲外と比較して小さく制御される、自動車（１）のブレーキシステム（３）を運転するための方法。
【請求項２】
前記摩擦ブレーキトルクの割合が予め設定可能な第１の限界値を上回ると、前記戻し力（ＦＲ）を増大させることを特徴とする、請求項１記載の方法。
【請求項３】
前記摩擦ブレーキトルクの割合が予め設定可能な第２の限界値を下回ると、前記戻し力（ＦＲ）を低下させることを特徴とする、請求項２記載の方法。
【請求項４】
前記第１の限界値が、前記第２の限界値よりも大きいかまたはこれと同じであることを特徴とする、請求項３記載の方法。
【請求項５】
前記戻し力（ＦＲ）を、前記ブレーキペダル（１１）の移動が次第に大きくなるにつれて増大させることを特徴とする、請求項１から４までのいずれか１項記載の方法。
【請求項６】
前記摩擦ブレーキトルクを、前記電気機械（４）の発電機特性曲線に依存して調節することを特徴とする、請求項１から５までのいずれか１項記載の方法。
【請求項７】
前記戻し力（ＦＲ）を変えるために、前記ブレーキシステム（３）のブレーキ倍力装置（１２）を制御することを特徴とする、請求項１から６までのいずれか１項記載の方法。
【請求項８】
自動車（１）のブレーキシステム（３）を運転するための装置（１０）であって、液圧式に制御可能な少なくとも１つのホイールブレーキ装置（９）と、前記自動車（１）の少なくとも１つのホイール（６）に作用接続された／作用接続可能な、発電機式に運転可能な電気機械（４）と、戻し力（ＦＲ）に抗して移動可能なブレーキペダル（１１）とを有しており、この場合、前記ブレーキペダル（１１）の位置（ｘ）に依存して目標ブレーキトルクが設定され、検出された前記ブレーキペダルの位置（ｘ）に依存して摩擦ブレーキトルクを発生させるために前記ホイールブレーキ装置（９）が制御され、かつ／または回生ブレーキトルクを発生させるために前記電気機械（４）が制御され、それによって前記ホイールブレーキ装置（９）および前記電気機械（４）が共に前記目標ブレーキトルクを発生させる形式のものにおいて、
規定通りの使用時に請求項１から７までのいずれか１項記載の方法を実施する自動車（１）のブレーキシステム（３）を運転するための装置（１０）。
【請求項９】
自動車（１）のためのブレーキシステム（３）であって、液圧式に制御可能な少なくとも１つのホイールブレーキ装置（９）と、前記自動車（１）の少なくとも１つのホイール（６）に作用接続された／作用接続可能な、発電機式に運転可能な電気機械（４）と、戻し力（ＦＲ）に抗して移動可能なブレーキペダル（１１）とを有しており、この場合、前記ブレーキペダル（１１）の位置（ｘ）に依存して目標ブレーキトルクが設定され、検出された前記ブレーキペダルの位置（ｘ）に依存して摩擦ブレーキトルクを発生させるためにブレーキ装置（８）が制御され、かつ／または回生ブレーキトルクを発生させるために前記電気機械（４）が制御され、それによって前記ブレーキ装置（８）および前記電気機械（４）が共に前記目標ブレーキトルクを発生させるブレーキシステムにおいて、
請求項８記載の装置（１０）が設けられていることを特徴とする、自動車（１）のためのブレーキシステム（３）。
【請求項１０】
戻し力を変えるために電気機械式のブレーキ倍力装置を備えることを特徴とする、請求項９記載のブレーキシステム。
【発明の詳細な説明】
【技術分野】
【０００１】
本発明は、自動車のブレーキシステムを運転するための方法であって、液圧式に制御可能な少なくとも１つのホイールブレーキ装置と、自動車の少なくとも１つのホイールに作用接続された／作用接続可能な、発電機式に運転可能な電気機械と、目標ブレーキトルクを予め設定するための、戻し力に抗して移動可能なブレーキペダルとを有しており、この場合、ブレーキペダル位置に依存して摩擦ブレーキトルクを発生させるために摩擦ブレーキ装置が制御され、かつ／または回生ブレーキトルクを発生させるために電気機械が制御され、それによって摩擦ブレーキ装置および電気機械が共に目標ブレーキトルクを発生させる方法に関する。
【０００２】
また本発明は、この方法を実施するための装置、並びにこのような形式のブレーキシステムに関する。
【背景技術】
【０００３】
今日の自動車には、従来の内燃機関に追加してまたはその代わりに、電気機械を有する駆動装置がますます装備されている。このような形式のハイブリッド駆動装置または電気駆動装置は、いわゆる再生式または回生式の制動によって、電気エネルギを生成することができる。このために、電気機械は発電機式に運転され、これによって、電気機械が負のトルクを自動車のドライブトレインに作用させると同時に、電気エネルギを生成する。多くの運転状況において、発電機式に運転される電気機械による純粋に電気的な制動は、所望の目標ブレーキトルクを生成するためには十分ではないので、さらに、再生式または回生式の制動に加えて、自動車の少なくとも１つのホイールに摩擦ブレーキトルクを発生させる従来のホイールブレーキ装置を液圧式に操作することが公知である。これによって、車両速度および目標ブレーキトルクに依存して、回生ブレーキトルクと共に目標ブレーキトルクを満たす液圧式の摩擦ブレーキトルクが得られる。このように、回生ブレーキトルクが液圧式に発生された摩擦ブレーキトルクと共に液圧式に消費されることによって、各運転状況における所望の目標ブレーキトルクを変えることができる。特に、液圧式の消費によって、電気機械の不安定なブレーキトルク特性若しくは発電機特性を補正することができる。
【０００４】
この場合、制動操作中の回生ポテンシャルは、電気機械の発電機特性およびその他の周辺条件、例えば蓄電池の充電状態、電気機械の運転温度等にも依存している。この場合、発電機特性は、車速に依存しており、従って実際の車速に依存して、提供可能な様々な高さの回生ブレーキトルクを保証する。液圧的な消費によって、この依存性は目標ブレーキトルクのために補正され、運転者に、車速に依存しない分かりやすいブレーキトルクが、ブレーキペダル位置に依存して提供される。
【発明の概要】
【発明の効果】
【０００５】
請求項１の特徴を有する本発明による方法は、運転者が、ブレーキペダルを操作したときに、ブレーキシステムが目標ブレーキトルクを主に回生式にまたは液圧式に変更するかどうかの触覚的なフィードバックを得ることができる、という利点を有している。これによって、運転者は、その運転方法若しくは実際の制動操作を、ブレーキペダルを移動させることによって、例えば回生ブレーキトルクを自動車のエネルギバランスを改善するために最大限利用するように、適合させることができる。このために、本発明によれば、目標ブレーキトルクにおける摩擦ブレーキトルクの割合に依存して、戻し力が変えられるようになっている。つまり、運転者がブレーキペダルを移動させるために克服しなければならない、ブレーキペダルに作用する戻し力は、摩擦ブレーキトルク若しくは回生ブレーキトルクの割合に依存して変えられるようになっている。これによって、運転者は、ブレーキペダルを操作するときに、運転者によって要求された目標ブレーキトルクがホイールブレーキ装置を制御するかどうかを、感じることができる。これによって、使用者は、簡単な形式および方法で、外部の状況が許容すれば、純粋な回生ブレーキトルクが得られるように、目標ブレーキトルクを調節することができる。従って、運転者は、その運転方法を、目標摩擦ブレーキトルクが例えば主に回生トルクによって変更されるように、適合させることができる。これによって、運転者は、摩擦ブレーキトルク、つまり液圧的な部分を有するブレーキトルクを生ぜしめる目標ブレーキトルクを、意図的に避けることができる。要求された目標ブレーキトルクがどのように回生ブレーキトルクおよび摩擦ブレーキトルクによって変更されるかが、運転者に視覚的に表示されるブレーキシステムとは異なり、本発明による方法は、運転者がその制動動作を適合させるために、例えば走行経過から目を離す必要がない、という利点を提供する。
【０００６】
本発明の好適な実施態様によれば、摩擦ブレーキトルクの割合が予め設定可能な第１の限界値を上回ると、戻し力が増大されるようになっている。これによって、運転者は、ブレーキペダルを操作したときに、増大された対向圧力若しくは増大された戻し力を感じると、予め設定された摩擦ブレーキトルクが第１の限界値を上回り、その場合、目標ブレーキトルクが少なくとも部分的に摩擦ブレーキトルクによって変更されることを感知する。これに対して、運転者は、低下されたまたは僅かに増大された対向圧力を感じると、運転者の目標ブレーキトルクが、摩擦ブレーキトルクが第１の限界値を下回っていて特に回生式に制動される領域内にあることを感知する。第１の限界値は好適な形式で、第１の限界値を上回ったときに主に液圧式に制動され、それによって目標ブレーキトルクが摩擦ブレーキトルクの優勢的な割合から得られるように、選定される。
【０００７】
本発明の好適な実施態様によれば、摩擦ブレーキトルクの割合が予め設定可能な第２の限界値を下回ると、戻し力が低下されるようになっている。つまり、例えば摩擦ブレーキトルクの実際に調節された割合が低下すると、戻し力は低下され、特に僅かに増大され、使用者は、目標ブレーキトルクを変えるために、ブレーキペダルを戻し力に抗して僅かに移動させることができる。これは例えば、電気機械の発電機特性に基づいて提供された電気機械の可能な回生ブレーキトルクが、車速の増大につれて、目標ブレーキトルクだけをまたはほぼ目標ブレーキトルクだけを、つまり液圧的な消費なしに変更できるまで、まず次第に増大する場合である。
【０００８】
好適には、第１の限界値は、第２の限界値より大きいかまたはこれと同じである。これによって、増大された戻し力と低下された戻し力との間の予期しないまたは不安定な切換を避ける戻し力のヒステリシス制御が提供される。
【０００９】
本発明の好適な実施態様によれば、戻し力は、ブレーキペダルの移動が次第に大きくなるにつれて戻し力に抗して増大するようになっている。これによって、戻し力に抗したブレーキペダルの移動時に戻し力は低下し、予期せずに省略された戻し力に基づいて運転者がブレーキペダルをさらに移動させ、それによって、意図したよりも高い目標ブレーキトルクを予め設定することは避けられる。これによって、戻し力は、摩擦ブレーキトルクの割合に依存して、戻し力の従来通りの経過に基づいてのみ低下され、戻し力の無制限の低下は行われないことが保証される。言い換えれば、摩擦ブレーキトルクの割合に依存して、戻し力に抗してブレーキペダルを移動させる際の戻し力増大、およびひいては戻し力は、従来通りの戻し力に対して低下される。特に、ブレーキペダルの戻し力は連続的に増大し、摩擦ブレーキトルクが第１および／または第２の限界値を下回る領域内でのみ、戻し力増大の勾配が低下されるようになっている。
【００１０】
好適な形式で、摩擦ブレーキトルクは、電気機械の発電機特性曲線に依存して調節されるので、目標ブレーキトルクは好適には、ブレーキシステムを有する自動車の好適なエネルギバランスを得るために、目標ブレーキトルクのできるだけ大きい割合が回生ブレーキトルクによって変えられるように、変更される。
【００１１】
特に好適には、戻し力を変えるために、ブレーキ倍力装置、特に電気機械式のブレーキ倍力装置が制御される。これによって、運転者に、目標ブレーキトルクにおける摩擦ブレーキトルクの割合または回生ブレーキトルクの割合に関する触覚的なフィードバックを与えるために、ブレーキシステム若しくはブレーキペダルの戻し力を、前述のように簡単な形式および方法で変えることができる。
【００１２】
請求項８の特徴を有する本発明による装置は、前記方法を実施する、専用に用意されたコントロールユニットを特徴としている。その他の利点および好適な特徴は、前記説明並びに請求項に記載されている。
【００１３】
請求項９の特徴を有する本発明によるブレーキシステムは、本発明による装置、並びにブレーキペダルの戻し力を変えるためのユニットを特徴としている。この場合、ユニットは、本発明による装置に接続されているので、装置が本発明の方法に従ってユニットを制御することによって戻し力を変えるようになっている。
【００１４】
特に好適には、戻し力を変えるためのユニットは、ブレーキ倍力装置、特に電気機械式のブレーキ倍力装置である。液圧式のブレーキシステムは、通常はブレーキ倍力装置を備えており、従って液圧式のブレーキシステム内に組み込まなければならない、戻し力を変えるための追加的な構造群は必要ない。これによって、コスト上および取り付けスペース上の利点が得られる。
【図面の簡単な説明】
【００１５】
【図１】好適なブレーキシステムを有する自動車の概略的な平面図である。
【図２】ブレーキシステムの制動挙動を示す図である。
【図３】ブレーキシステムのブレーキペダルの戻し力を示す図である。
【発明を実施するための形態】
【００１６】
本発明を以下に図面を用いて詳しく説明する。
【００１７】
図１は、駆動装置２並びにブレーキシステム３を有する自動車１の概略図を示す。
【００１８】
駆動装置２は、駆動機械として電気機械４を有しており、この電気機械４は、選択的に伝動装置５によって自動車１の駆動輪６に作用接続されている。電気機械４は、モータ式および発電機式に運転され、このためにエネルギアキュムレータ７に接続または接続可能であり、エネルギアキュムレータ７から駆動のためのエネルギが取り出されるか、または回生運転時に発生されたエネルギがエネルギアキュムレータ７に供給される。
【００１９】
以下に詳しく説明されているように、電気機械４は同時にブレーキシステム３の構成部分でもある。ブレーキシステム３は、液圧ブレーキ装置８を有していて、この液圧ブレーキ装置８は、自動車１のそれぞれ１つの車輪に対応配設されたホイールブレーキ装置９を液圧式に操作するために、複数のホイールブレーキ装置９に接続されており、それによって、自動車１を減速させるための摩擦ブレーキトルクが調節される。さらにブレーキシステム３は装置１０を有していて、この装置１０は、コントロールユニットとして構成されていて、液圧ブレーキ装置８並びに電気機械４を、目標ブレーキトルクに依存して制御する。
【００２０】
このブレーキシステム３は、目標ブレーキトルクを予め設定するために、自動車１の運転者によって操作可能なブレーキペダル１１を有している。このために、ブレーキペダル１１は、矢印で示されているように、戻し力に抗して運転者によって移動させることができる。しかもこの場合、ブレーキペダル１１は液圧ブレーキ装置８、特に液圧ブレーキ装置８の装置１２、特にブレーキ倍力装置に接続されており、このブレーキ倍力装置は、図面では、見易さの理由によりブレーキペダル１１に対応配設されて示されており、ブレーキペダル１１に作用する戻し力を変化させるために構成されているか、またはそのために適している。
【００２１】
ブレーキペダル位置によって予め設定された目標ブレーキトルクに依存して、装置１０は、目標ブレーキトルクをホイールブレーキ装置９の摩擦ブレーキトルクによって、および電気機械４の回生ブレーキトルクによって変更するために、電気機械４および液圧ブレーキ装置８を制御する。
【００２２】
図２には、このために、自動車１の速度ｖに関するグラフに電気機械４の発電機特性が示されている。この場合、発電機特性は特性曲線１３によって示されており、この特性曲線１３は、車両速度に依存して電気機械４により提供可能な回生ブレーキトルクを示す。標準的に、特性曲線１３は、より低い速度ｖ１乃至ｖ２の領域内でその最大値を有する。同様に、図２には、運転者がブレーキペダル１１の操作によって調節した、例えば目標ブレーキトルクが特性曲線１４によって示されている。図示の実施例では、目標ブレーキトルクは最大可能な回生ブレーキトルクを下回っているが、より低いおよびより高い車両速度ｖにおいては最大提供可能な回生ブレーキトルクを上回っている。従って、提供可能な回生ブレーキトルク１３が目標ブレーキトルクを変更するためには不十分である領域Ｉ内で、装置１０は、単数または複数のホイールブレーキ装置９によって相応の摩擦ブレーキトルクを、目標ブレーキトルクを変更するように調節するために、追加的に液圧ブレーキ装置８を制御する。目標ブレーキトルクが電気機械４だけによって提供され得る領域ＩＩ内で、摩擦ブレーキトルクの割合が好適には可能な限り十分に減少され、特にゼロに設定されるので、電気機械４の回生能力が制動時に最大利用される。
【００２３】
図３には、ブレーキペダル移動若しくは位置ｘに依存してペダル１１に作用する戻し力ＦＲがグラフで示されている。この場合、破線１５によって、ペダルストロークｘに依存する戻し力の従来の変化が示される。この場合、通常の戻し力は、戻し力に抗するブレーキペダル１１の移動量が増大するにつれて連続的に増大する。特に、直線的なストロークと力に関する線が得られる。
【００２４】
装置１０は好適な方法を実行し、この方法において、ブレーキペダル１１に作用する戻し力は、ブレーキ倍力装置１２の影響を受けて変化する。このために、装置１０はまず目標ブレーキトルクにおける摩擦ブレーキトルクの割合を算出する。図示の実施例では、摩擦ブレーキトルクの割合が、ゼロに等しい第１の限界値と比較されるようになっている。つまり、摩擦ブレーキトルクが目標ブレーキトルクの変更のために要求されると直ちに、第１の限界値が超えられる。これは、図２では、走行速度ｖ０までおよび速度ｖ３からの場合、つまり、目標ブレーキトルクが少なくとも部分的に摩擦ブレーキトルクによって変更される領域Ｉ内の場合である。摩擦ブレーキトルクの割合が予め設定された第１の限界値を下回るかまたは、ｖ０乃至ｖ３の領域内におけるように、第１の限界値を下回る第２の予め設定可能な限界値を下回ると、装置１０がブレーキ倍力装置１２を制御し、図３に特性曲線１６によって示されているように、戻し力ＦＲが特性曲線１５に対して低下されるように、戻し力ＦＲを変化させる。この場合、実際の走行速度ｖに依存してブレーキペダル位置ｘの領域が調節され、このブレーキペダル位置ｘの領域内で戻し力ＦＲが通常の戻し力に対して低下される。ｘ１とｘ２との間の領域の外で、つまり摩擦ブレーキトルクの割合がゼロより大きいときに、特性曲線１５に従って戻し力は高められるか若しくは初期値に戻される。
【００２５】
これによって、運転者は、運転者によって予め設定された目標ブレーキトルクに依存してブレーキシステム３が目標ブレーキトルクを変更するように感じる。領域ｘ１乃至ｘ２内で、運転者はブレーキペダル１１を戻し力ＦＲに抗して移動させる際により小さい対向圧力を感じるか、または殆ど増大しない対向圧力を感じる。いずれにしても、運転者は、特性曲線１５に従った通常変化と比較して減少された対向圧力を感じる。目標ブレーキトルクが電気機械４だけではもはや変更不可能な程度に、運転者が目標ブレーキトルクを増大させ、追加的に液圧ブレーキ装置８が制御されるとはじめて、対向圧力が高められ、運転者は、運転者によって要求されたブレーキトルクを変更するために液圧ブレーキ装置８が追加的にスイッチオンされたように感じる。
【００２６】
戻し力ＦＲに影響を及ぼすために、ブレーキ倍力装置１２はまず電気機械式のブレーキ倍力装置として構成されており、この電気機械式のブレーキ倍力装置の、戻し力ＦＲに影響を及ぼす特性は、相応の制御若しくは影響によって補正可能である。これによって、運転者のために主観的に規定された、車両の公差範囲内で、例えば、そこに存在する車両に対する間隔または先行する車両の速度変化、または停止するまでの速度変化から得られる周辺状況を運転者に与える可能性が得られる。ブレーキペダル１１における触覚的なフィードバックは、制動効果に関連して、特に電気機械４の回生ポテンシャルの利用に関連して、制動挙動の適合の直感的な変更を可能にする。
【００２７】
さらにオプション的に、装置１０は、基本的条件をより精確に示すためのその他の情報、例えば衛星保護されたナビゲーションシステムの実際の位置データ、例えば車間センサ、レーダセンサ、ビデオセンサ、ライダーセンサ等の周辺センサのデータ、または車両対車両通信のデータも算出することができる。
【００２８】
全体的に、この方法は、運転者への触覚的なフィードバックによって自動車のエネルギバランスの最適化若しくは燃費低減を直感的に可能にするという利点を、運転者に提供する。
【符号の説明】
【００２９】
１  自動車
３  ブレーキシステム
４  電気機械
６  ホイール
８  ブレーキ装置
９  ホイールブレーキ装置
１０  装置
１１  ブレーキペダル
１２  ユニット、ブレーキ倍力装置
ＦＲ  戻し力
ｖ  自動車１の速度、車速
ｘ  ブレーキペダル
【図１】
0006605142.tif 000002
【図２】
0006605142.tif 000003
【図３】
0006605142.tif 000004